(57)【要約】【課題】ＬＴＥが適用される移動通信システムからＵＴＲＡＮが適用される移動通信システムへのハンドオーバが行われる場合に、ａＧＷにおける処理負荷を増大させずに未送信のデータを転送することができる移動局装置およびハンドオーバ方法を提供する。【解決手段】第１の移動通信システムと、第２の移動通信システムで使用できる移動局装置に、第２の秘匿処理が行われた分割パケットに対し、前記第２の秘匿解除処理を行う第２の秘匿解除手段と、前記第２の秘匿解除処理が行われた分割パケットの再送制御を行い、複数の分割パケットを結合し、第１の秘匿処理が行われたＩＰパケットを生成する結合手段と、前記結合手段において生成された前記第１の秘匿処理が行われたＩＰパケットに対し、前記第１の秘匿解除処理を行う第１の秘匿解除手段とを備えることにより達成される。【選択図】図６
2007336490.tif 000002
【特許請求の範囲】
【請求項１】
第１の移動通信システムと、第２の移動通信システムで使用できる移動局装置であって：
前記移動局は、前記第１の移動通信システムから前記第２の移動通信システムにハンドオーバを行い、
前記第１の移動通信システムにより、ＩＰパケットに対し第１の秘匿処理が行われ、前記第２の移動通信システムにより、前記第１の秘匿処理が行われたＩＰパケットが分割され、該分割パケットに対し第２の秘匿処理が行われ、該第２の秘匿処理が行われた分割パケットが、前記移動局に送信され、
前記第２の秘匿処理が行われた分割パケットに対し、前記第２の秘匿解除処理を行う第２の秘匿解除手段；
前記第２の秘匿解除処理が行われた分割パケットの再送制御を行い、複数の分割パケットを結合し、前記第１の秘匿処理が行われたＩＰパケットを生成する結合手段；
前記結合手段において生成された前記第１の秘匿処理が行われたＩＰパケットに対し、前記第１の秘匿解除処理を行う第１の秘匿解除手段；
を備えることを特徴とする移動局。
【請求項２】
請求項１に記載の移動局において：
前記第１の移動通信システムはＬＴＥ（Ｌｏｎｇ  Ｔｅｒｍ  Ｅｖｏｌｕｔｉｏｎ）が適用される移動通信システムであり、前記第２の移動通信システムはＵＴＲＡＮが適用される移動通信システムであることを特徴とする移動局。
【請求項３】
請求項２に記載の移動局において：
前記第２の秘匿解除手段は、前記第２の秘匿処理が行われたＲＬＣ  ＰＤＵに対し、前記第２の秘匿解除処理を行うことを特徴とする移動局。
【請求項４】
請求項３に記載の移動局において：
前記結合手段は、前記第２の秘匿解除処理が行われた複数のＲＬＣ  ＰＤＵを結合し、前記第１の秘匿処理が行われたＰＤＣＰ  ＰＤＵを生成することを特徴とする移動局。
【請求項５】
請求項４に記載の移動局において：
前記第１の秘匿解除手段は、前記第１の秘匿処理が行われたＰＤＣＰ  ＰＤＵに対し、前記第１の秘匿解除処理を行うことを特徴とする移動局。
【請求項６】
第１の移動通信システムにより、ＩＰパケットに対し第１の秘匿処理が行われる第１の秘匿処理ステップ；
移動局が、前記第１の移動通信システムから前記第１の移動通信システムとは異なる第２の移動通信システムにハンドオーバを行うハンドオーバ処理ステップ；
前記第１の移動通信システムにより、前記第１の秘匿処理が行われたＩＰパケットが、前記第２のシステムに転送される転送ステップ；
前記第２の移動通信システムにより、前記第１の秘匿処理が行われたＩＰパケットが分割され、該分割パケットに対し第２の秘匿処理が行われ、前記移動局に送信される送信ステップ；
移動局が、前記第２の秘匿処理が行われた分割パケットに対し、前記第２の秘匿解除処理を行う第２の秘匿解除ステップ；
前記第２の秘匿解除処理が行われた分割パケットの再送制御を行い、複数の分割パケットを結合し、前記第１の秘匿処理が行われたＩＰパケットを生成する結合ステップ；
前記結合ステップにおいて生成された前記第１の秘匿処理が行われたＩＰパケットに対し、前記第１の秘匿解除処理を行う第１の秘匿解除ステップ；
を有することを特徴とするハンドオーバ方法。
【発明の詳細な説明】
【技術分野】
【０００１】
本発明は、移動局装置およびハンドオーバ方法に関する。
【背景技術】
【０００２】
Ｗ−ＣＤＭＡシステムにおいて、無線アクセスネットワーク（ＲＡＮ）は、無線制御装置（ＲＮＣ）とノードＢ（ＮｏｄｅＢ）で構成される。無線制御装置は、交換機ネットワークであるコアネットワークとＩｕインタフェースを介して接続される。３ＧＰＰにおいて、ＲＡＮはＵＴＲＡＮと呼ばれる。
【０００３】
ＵＴＲＡＮのプロトコルスタックについて説明する。ここでは、ユーザ情報を転送するＵ−ｐｌａｎｅに適用されるプロトコルスタックについて説明する。
【０００４】
ＵＴＲＡＮにおける無線インタフェースのプロトコルアーキテクチャを図１に示す。
【０００５】
物理レイヤ（ＰＨＹ：  Ｐｈｙｓｉｃａｌ  ｌａｙｅｒ）と、ＭＡＣ（ｍｅｄｉａ  ａｃｃｅｓｓ  ｃｏｎｔｒｏｌ）と、ＲＬＣ（ｒａｄｉｏ  ｌｉｎｋ  ｃｏｎｔｒｏｌ）と、ＰＤＣＰ（Ｐａｃｋｅｔ  Ｄａｔａ  Ｃｏｎｖｅｒｇｅｎｃｅ  Ｐｒｏｔｏｃｏｌ）の各レイヤにより構成される。
【０００６】
各レイヤのうちＰＨＹとＭＡＣはＮｏｄｅＢに、ＲＬＣとＰＤＣＰはＲＮＣに実装される。ＲＮＣは無線リソースの管理、再送制御、ＮｏｄｅＢの制御等を行い、例えば、ハンドオーバの制御を行う。ＮｏｄｅＢは、無線送受信を行う論理的なノードを示し、具体的には無線基地局装置である。
【０００７】
コアネットワークからのＩＰパケットは、ＰＤＣＰでヘッダ圧縮処理が行われ、ＰＤＣＰ  ＰＤＵ（Ｐｒｏｔｏｃｏｌ  Ｄａｔａ  Ｕｎｉｔ）に変換され、ＲＬＣに渡される。
【０００８】
ＲＬＣでは、ＰＤＣＰ  ＰＤＵの分割（セグメンテーション）が行われ、ＲＬＣヘッダが付加され、ＲＬＣ  ＰＤＵ（Ｐｒｏｔｏｃｏｌ  Ｄａｔａ  Ｕｎｉｔ）に変換される。さらに、ＲＬＣでは、ＲＬＣ  ＰＤＵのペイロード部分に対して秘匿処理が行われ、ＮｏｄｅＢに実装されたＭＡＣに渡される。
【０００９】
一方、次世代システムであるＬＴＥ（Ｌｏｎｇ  Ｔｅｒｍ  Ｅｖｏｌｕｔｉｏｎ）が適用される移動通信システム（以下、ＬＴＥシステムと呼ぶ）では、Ｕ−ｐｌａｎｅデータの秘匿はアクセスゲートウェイ（ａＧＷ：  ａｃｃｅｓｓ  ＧａｔｅＷａｙ）で実施されることが、標準化で合意されている。すなわち、ＬＴＥシステムでは、再送機能は無線基地局装置に設置され、秘匿機能、ヘッダ圧縮機能は上位装置に設置される。この場合、秘匿の処理単位としては、ヘッダ圧縮されている可能性のあるＩＰパケットが想定される。
【００１０】
ＬＴＥのプロトコルスタックについて説明する。ここでは、ＵＴＲＡＮと同様に、ユーザ情報を転送するＵ−ｐｌａｎｅに適用されるプロトコルスタックについて説明する。
【００１１】
ＬＴＥにおける無線インタフェースのプロトコルアーキテクチャは、図１示したプロトコルアーキテクチャと同様であるが各レイヤの機能が異なる。
【００１２】
ＬＴＥシステムは、ａＧＷと、イーノードＢ（ｅＮｏｄｅＢ）を備える。各レイヤのうち、ＰＨＹとＭＡＣとＲＬＣはｅＮｏｄｅＢに、ＰＤＣＰはａＧＷに実装される。
【００１３】
ａＧＷは上述したようにＵ−ｐｌａｎｅデータの秘匿処理を行う。ｅＮｏｄｅＢは、無線送受信を行う論理的なノードを示し、具体的には無線基地局装置である。
【００１４】
コアネットワークからのＩＰパケットは、ａＧＷに実装されたＰＤＣＰでヘッダ圧縮処理が行われ、ＰＤＣＰ  ＰＤＵに変換される。さらに、ＰＤＣＰでは秘匿処理が行われ、ｅＮｏｄｅＢに転送される。
【００１５】
ｅＮｏｄｅＢでは、ＲＬＣで、ＰＤＣＰ  ＰＤＵがＲＬＣ  ＰＤＵに変換される。
【非特許文献１】３ＧＰＰ  ＴＲ２３．８８２
【発明の開示】
【発明が解決しようとする課題】
【００１６】
しかしながら、上述した背景技術には以下の問題がある。
【００１７】
Ｉｎｔｅｒ  ＲＡＴ−ＨＯ（Ｉｎｔｅｒ  Ｒａｄｉｏ  Ａｃｃｅｓｓ  Ｔｅｃｈｎｏｌｏｇｙ−Ｈａｎｄｏｖｅｒ）、すなわちＬＴＥシステムからＵＴＲＡＮが適用される移動通信システム（以下、ＵＴＲＡＮシステムと呼ぶ）にハンドオーバが行われる場合には、ｅＮｏｄｅＢにバッファリングされているデータがａＧＷ経由でＵＴＲＡＮシステムに転送される。
【００１８】
このようなＩｎｔｅｒ  ＲＡＴ−ＨＯが行われる場合、ＬＴＥシステムにおいて一度秘匿処理が行われたＩＰパケットを、ａＧＷで秘匿を解除し、ＵＴＲＡＮシステムに転送することが提案されている（例えば、非特許文献１参照）。
【００１９】
この場合の処理フローについて、図２および図３を参照して説明する。
【００２０】
上位局、例えば、Ｉｎｔｅｒ  ＡＳ  ａｎｃｈｏｒからａＧＷにＩＰパケット２が転送される（ステップＳ２）。
【００２１】
ａＧＷでは、転送されたＩＰパケットに対し、ヘッダ部分がヘッダ圧縮処理される（ステップＳ４）。その結果、ヘッダ圧縮されたヘッダを含むＰＤＣＰ  ＰＤＵ４（以下、圧縮ヘッダを含むＰＤＣＰ  ＰＤＵと呼ぶ）が生成される。さらに、ａＧＷでは、圧縮ヘッダを含むＰＤＣＰ  ＰＤＵ４に対し、ＬＴＥシステムの秘匿処理が行われ（ステップＳ６）、ｅＮｏｄｅＢに転送される（ステップＳ８）。
【００２２】
ｅＮｏｄｅＢは、転送されたＬＴＥシステムの秘匿処理された圧縮ヘッダを含むＰＤＣＰ  ＰＤＵ６をバッファリングし（ステップＳ１０）、バッファリングされたＬＴＥシステムの秘匿処理された圧縮ヘッダを含むＰＤＣＰ  ＰＤＵ６をＲＬＣ  ＰＤＵに変換し、移動局（ＬＴＥ  ＵＥ）に送信する。
【００２３】
移動局がＬＴＥシステムからＵＴＲＡＮシステムへ、システム間のハンドオーバを行った場合、ｅＮｏｄｅＢにバッファリングされ、移動局に送信されていないＬＴＥシステムの秘匿処理された圧縮ヘッダを含むＰＤＣＰ  ＳＤＵ６は、ａＧＷに転送される（ステップＳ１２）。
【００２４】
ａＧＷでは、ｅＮｏｄｅＢから転送されたＬＴＥシステムの秘匿処理された圧縮ヘッダを含むＰＤＣＰ  ＳＤＵ６の秘匿解除処理が行われ、圧縮ヘッダを含むＰＤＣＰ  ＳＤＵ４に変換される（ステップＳ１４）。さらに、ヘッダ伸張処理が行われ、ＩＰパケット２に変換される（ステップＳ１６）。さらに、ａＧＷは、そのＩＰパケット２をＲＮＣに転送する（ステップＳ１８）。
【００２５】
ＲＮＣでは、転送されたＩＰパケット２に対し、ヘッダ部分がヘッダ圧縮処理される（ステップＳ２０）。その結果、ヘッダ圧縮されたヘッダを含むＰＤＣＰ  ＰＤＵ８（圧縮ヘッダを含むＰＤＣＰ  ＰＤＵ）が生成される。さらに、ＲＮＣでは、圧縮ヘッダを含むＰＤＣＰ  ＰＤＵの分割（セグメンテーション）が行われ、各分割された圧縮ヘッダを含むＰＤＣＰ  ＰＤＵに対してＲＬＣヘッダが付加され、ＲＬＣ  ＰＤＵ１０が生成される（ステップＳ２２）。さらに、ＲＮＣでは、ＲＬＣ  ＰＤＵのペイロード部に対し、ＵＴＲＡＮシステムの秘匿処理が行われ（ステップＳ２４）、ＵＴＲＡＮシステムの秘匿処理されたＲＬＣ  ＰＤＵ１２はＮｏｄｅＢに転送される（ステップＳ２６）。
【００２６】
ＮｏｄｅＢは、転送されたＵＴＲＡＮシステムの秘匿処理されたＲＬＣ  ＰＤＵ１２を移動局に送信する（ステップＳ２８）。
【００２７】
移動局は、受信したＵＴＲＡＮシステムの秘匿処理されたＲＬＣ  ＰＤＵ１２に対し、ＵＴＲＡＮシステムの秘匿解除処理を行い、ＲＬＣ  ＰＤＵ１０の復元を行い（ステップＳ３０）、複数のＲＬＣ  ＰＤＵ１０を結合（Ｃｏｎｃａｔｅｎａｔｉｏｎ）し、圧縮ヘッダを含むＰＤＣＰ  ＰＤＵ８の復元処理を行う（ステップＳ３２）。さらに、移動局は、圧縮ヘッダを含むＰＤＣＰ  ＰＤＵ８のヘッダ伸張を行う（ステップＳ３４）。その結果、ＩＰパケット２が復元される。
【００２８】
このようなＩｎｔｅｒ  ＲＡＴ−ＨＯが行われる場合に、ａＧＷでＬＴＥシステムの秘匿解除処理を行うようにした場合、ａＧＷにおけるＬＴＥシステムの秘匿処理に関わる処理負荷が増大する問題がある。そこで、ａＧＷにおいて、秘匿処理されたＩＰパケットの秘匿解除処理を避ける方法として、ａＧＷでＩＰパケットをバッファリングする方法が考えられる。
【００２９】
この場合の処理フローについて、図４を参照して説明する。
【００３０】
上位局、例えばＩｎｔｅｒ  ＡＳ  ａｎｃｈｏｒからａＧＷにＩＰパケットが転送される（ステップＳ１０２）。
【００３１】
ａＧＷでは、転送されたＩＰパケットをバッファリングし（ステップＳ１０４）、バッファリングされたＩＰパケットに対し、ヘッダ部分がヘッダ圧縮処理される（ステップＳ１０６）。その結果、ヘッダ圧縮されたヘッダを含むＰＤＣＰ  ＰＤＵ（以下、圧縮ヘッダを含むＰＤＣＰ  ＰＤＵと呼ぶ）が生成される。さらに、ａＧＷでは、圧縮ヘッダを含むＰＤＣＰ  ＰＤＵに対し、ＬＴＥシステムの秘匿処理が行われ（ステップＳ１０８）、ｅＮｏｄｅＢに転送される（ステップＳ１１０）。
【００３２】
ｅＮｏｄｅＢは、転送されたＬＴＥシステムの秘匿処理された圧縮ヘッダを含むＰＤＣＰ  ＰＤＵをバッファリングし（ステップＳ１１２）、バッファリングされたＬＴＥシステムの秘匿処理された圧縮ヘッダを含むＰＤＣＰ  ＳＤＵをＲＬＣ  ＰＤＵに変換し、移動局（ＬＴＥ  ＵＥ）に送信する。
【００３３】
移動局がＬＴＥシステムからＵＴＲＡＮシステムへ、システム間のハンドオーバを行った場合、ａＧＷにバッファリングされ、移動局に送信されていないＩＰパケットは、ＲＮＣに転送される（ステップＳ１１４）。
【００３４】
ＲＮＣでは、ａＧＷから転送されたＩＰパケットに対し、ヘッダ部分がヘッダ圧縮処理される（ステップＳ１１６）。その結果、ヘッダ圧縮されたヘッダを含むＰＤＣＰ  ＰＤＵ（圧縮ヘッダを含むＰＤＣＰ  ＰＤＵ）が生成される。さらに、ＲＮＣでは、圧縮ヘッダを含むＰＤＣＰ  ＰＤＵの分割（セグメンテーション）が行われ、各分割された圧縮ヘッダを含むＰＤＣＰ  ＰＤＵに対してＲＬＣヘッダが付加され、ＲＬＣ  ＰＤＵが生成される（ステップＳ１１８）。さらに、ＲＮＣでは、ＲＬＣ  ＰＤＵのペイロード部に対しＵＴＲＡＮシステムの秘匿処理が行われ（ステップＳ１２０）、ＮｏｄｅＢに転送される（ステップＳ１２２）。
【００３５】
ＮｏｄｅＢは、転送されたＵＴＲＡＮシステムの秘匿処理が行われたＲＬＣ  ＰＤＵを移動局に送信する（ステップＳ１２４）。
【００３６】
移動局は、受信したＵＴＲＡＮシステムの秘匿処理が行われたＲＬＣ  ＰＤＵの秘匿解除処理を行い、ＲＬＣ  ＰＤＵの復元を行い（ステップＳ１２６）、複数のＲＬＣ  ＰＤＵを結合（Ｃｏｎｃａｔｅｎａｔｉｏｎ）し、圧縮ヘッダを含むＰＤＣＰ  ＰＤＵの復元処理を行う（ステップＳ１２８）。さらに、移動局は、圧縮ヘッダを含むＰＤＣＰ  ＰＤＵのヘッダ伸張を行う（ステップＳ１３０）。その結果、ＩＰパケットが復元される。
【００３７】
ａＧＷでＩＰパケットをバッファリングするようにした場合、ａＧＷおよびｅＮｏｄｅＢの２重にバッファリングされることになり、ハードウエアの装置規模が増大する問題がある。
【００３８】
そこで本発明は、上述した問題点の少なくとも１つを解決するためになされたものであり、その目的は、ＬＴＥが適用される移動通信システムからＵＴＲＡＮが適用される移動通信システムへのハンドオーバが行われる場合に、ａＧＷにおける処理負荷を増大させずに未送信のデータを転送することができる移動局装置およびハンドオーバ方法を提供することにある。
【課題を解決するための手段】
【００３９】
上記課題を解決するため、本発明の移動局装置は、
第１の移動通信システムと、第２の移動通信システムで使用できる移動局装置であって：
前記移動局は、前記第１の移動通信システムから前記第２の移動通信システムにハンドオーバを行い、
前記第１の移動通信システムにより、ＩＰパケットに対し第１の秘匿処理が行われ、前記第２の移動通信システムにより、前記第１の秘匿処理が行われたＩＰパケットが分割され、該分割パケットに対し第２の秘匿処理が行われ、該第２の秘匿処理が行われた分割パケットが、前記移動局に送信され、
前記第２の秘匿処理が行われた分割パケットに対し、前記第２の秘匿解除処理を行う第２の秘匿解除手段；
前記第２の秘匿解除処理が行われた分割パケットの再送制御を行い、複数の分割パケットを結合し、前記第１の秘匿処理が行われたＩＰパケットを生成する結合手段；
前記結合手段において生成された前記第１の秘匿処理が行われたＩＰパケットに対し、前記第１の秘匿解除処理を行う第１の秘匿解除手段；
を備えることを特徴の１つとする。
【００４０】
このように構成することにより、第１の移動通信システム、例えばＬＴＥシステムから、第２の移動通信システム、例えばＵＴＲＡＮシステムにハンドオーバした場合、第１の移動通信システムおよび第２の移動通信システムにおいて秘匿処理が行われたデータからＩＰパケットを復元できる。
【００４１】
また、本発明のハンドオーバ方法は、
第１の移動通信システムにより、ＩＰパケットに対し第１の秘匿処理が行われる第１の秘匿処理ステップ；
移動局が、前記第１の移動通信システムから前記第１の移動通信システムとは異なる第２の移動通信システムにハンドオーバを行うハンドオーバ処理ステップ；
前記第１の移動通信システムにより、前記第１の秘匿処理が行われたＩＰパケットが、前記第２のシステムに転送される転送ステップ；
前記第２の移動通信システムにより、前記第１の秘匿処理が行われたＩＰパケットが分割され、該分割パケットに対し第２の秘匿処理が行われ、前記移動局に送信される送信ステップ；
移動局が、前記第２の秘匿処理が行われた分割パケットに対し、前記第２の秘匿解除処理を行う第２の秘匿解除ステップ；
前記第２の秘匿解除処理が行われた分割パケットの再送制御を行い、複数の分割パケットを結合し、前記第１の秘匿処理が行われたＩＰパケットを生成する結合ステップ；
前記結合ステップにおいて生成された前記第１の秘匿処理が行われたＩＰパケットに対し、前記第１の秘匿解除処理を行う第１の秘匿解除ステップ；
を有することを特徴の１つとする。
【００４２】
このようにすることにより、第１の移動通信システム、例えばＬＴＥシステムから、第２の移動通信システム、例えばＵＴＲＡＮシステムにハンドオーバした場合、第１のシステムおよび第２のシステムにおいて秘匿処理が行われたデータからＩＰパケットを復元できる。
【発明の効果】
【００４３】
本発明の実施例によれば、ＬＴＥが適用される移動通信システムからＵＴＲＡＮが適用される移動通信システムへのハンドオーバが行われる場合に、ａＧＷにおける処理負荷を増大させずに未送信のデータを転送することができる移動局装置およびハンドオーバ方法を実現できる。
【発明を実施するための最良の形態】
【００４４】
次に、本発明の実施例について図面を参照して説明する。
なお、実施例を説明するための全図において、同一機能を有するものは同一符号を用い、繰り返しの説明は省略する。
【００４５】
本発明の実施例にかかる移動通信システムのネットワークアーキテクチャについて、図５を参照して説明する。
【００４６】
本実施例にかかる移動通信システムのネットワークアーキテクチャは、ＬＴＥシステムとして、アクセスゲートウェイ（ａＧＷ：  ａｃｃｅｓｓ  ＧａｔｅＷａｙ）５００と、ｅＮｏｄｅＢ（基地局）２００とを備え、ＵＴＲＡＮシステムとして、無線制御装置（ＲＮＣ：  Ｒａｄｉｏ  Ｎｅｔｗｏｒｋ  Ｃｏｎｔｒｏｌｌｅｒ）４００と、ＮｏｄｅＢ（基地局）３００とを備え、また、移動局（ＵＥ）１００を備える。
【００４７】
ＲＮＣ４００は、ＧＰＲＳ  Ｃｏｒｅ（Ｇｅｎｅｒａｌ  Ｐａｃｋｅｔ  Ｒａｄｉｏ  Ｓｅｒｖｉｃｅ  Ｃｏｒｅ）７００、すなわちコアネットワークとＩｕインタフェースを介して接続される。また、ａＧＷ５００は、上位ノード、例えばインターアクセスシステムアンカー（Ｉｎｔｅｒ  ＡＳ（Ａｃｃｅｓｓ  Ｓｙｓｔｅｍ）  Ａｎｃｈｏｒ）６００と接続される。
【００４８】
Ｉｎｔｅｒ  ＡＳ  Ａｎｃｈｏｒ６００は、ＧＰＲＳ  Ｃｏｒｅ７００と接続される。このＩｎｔｅｒ  ＡＳ  Ａｎｃｈｏｒ６００とＧＰＲＳ  Ｃｏｒｅ７００との間では、ＧＰＲＳ  Ｃｏｒｅ７００とインターアクセスシステムアンカー６００との間の制御およびモビリティに関するユーザプレーンが与えられる。
【００４９】
また、ａＧＷ５００は、ＧＰＲＳ  Ｃｏｒｅ７００と接続され、ａＧＷ５００とＧＰＲＳ  Ｃｏｒｅ７００との間では、アイドルおよび／またはアクティブ状態で、ユーザおよびベアラ情報を、例えばインター３ＧＰＰアクセス  システム  モビリティでやり取りできる。
【００５０】
ａＧＷ５００は、モビリティ  マネジメント  エンティティ（ＭＭＥ：  Ｍｏｂｉｌｉｔｙ  Ｍａｎａｇｅｍｅｎｔ  Ｅｎｔｉｔｙ）とユーザ  プレーン  エンティティ（ＵＰＥ：  Ｕｓｅｒ  Ｐｌａｎｅ  Ｅｎｔｉｔｙ）を有し、ヘッダ圧縮（ＨＣ：  Ｈｅａｄｅｒ  Ｃｏｍｐｒｅｓｓｉｏｎ）機能と、秘匿（Ｃｉｐｈｅｒｉｎｇ）機能とを備える。ヘッダ圧縮機能および秘匿機能は、ａＧＷ５００に実装されたＰＤＣＰで実行される。秘匿機能とは、制御信号およびユーザ情報が無線区間にて不当に傍受されることを防ぐための機能である。例えば、ユーザ毎の秘匿キー、そして秘匿用のアルゴリズムを用いて制御信号およびユーザ情報を暗号化することにより実行される。
【００５１】
ｅＮｏｄｅＢ２００は、自動再送要求（ＡＲＱ：  ａｕｔｏｍａｔｉｃ  ｒｅｑｕｅｓｔ  ｆｏｒ  ｒｅｐｅａｔ）機能と、ＲＲＣ（ｒｅｄｉｏ  ｒｅｓｏｕｒｃｅ  ｃｏｎｔｒｏｌ）機能を備える。自動再送要求機能は、ｅＮｏｄｅＢに実装されたＲＬＣで実行される。
【００５２】
ＲＮＣ４００は、ヘッダ圧縮機能と、秘匿機能と、自動再送要求機能と、ＲＲＣ機能とを備える。ヘッダ圧縮機能はＲＮＣ４００に実装されたＰＤＣＰで実行され、秘匿機能および自動再送要求機能はＲＮＣ４００に実装されたＲＬＣで実行される。ＮｏｄｅＢ３００は、ＲＮＣ４００とＩｕｂインタフェースを介して接続される。
【００５３】
次に、本発明の実施例にかかる移動局１００について、図６を参照して説明する。
【００５４】
本実施例にかかる移動局１００は、ＬＴＥシステムおよびＵＴＲＡＮシステムの通信機能を有し、受信部１０２と、復調・復号部１０４と、結合手段としての再送制御部１０６と、ＰＤＣＰ  ＳＤＵ処理部１１０とを備える。
【００５５】
再送制御部１０６は、第２の秘匿解除手段としての第２の秘匿解除部１０８を備える。ＰＤＣＰ  ＳＤＵ処理部１１０は、第１の秘匿解除手段としての第１の秘匿解除部１１２と、ヘッダ伸長部１１４とを備える。
【００５６】
本実施例にかかる移動局１００が受信するＲＬＣ  ＰＤＵについて、図７を参照して説明する。
【００５７】
図７は、ＬＴＥシステムとＵＴＲＡＮシステムのプロトコルスタックを示す。
【００５８】
本実施例では、Ｉｎｔｅｒ  ＲＡＴ−ＨＯ、すなわち第１の移動通信システムとしてのＬＴＥシステムから第２の移動通信システムとしてのＵＴＲＡＮシステムへハンドオーバが行われた場合について説明する。ＧＰＲＳ  Ｃｏｒｅ７００または上位局、例えばＩｎｔｅｒ  ＡＳ  Ａｎｃｈｏｒ６００からのＩＰパケットは、ａＧＷ５００に実装されたＰＤＣＰ（ＬＴＥ）においてヘッダ圧縮処理およびＬＴＥシステムの秘匿処理が行われ、ｅＮｏｄｅＢ２００へ転送される。ｅＮｏｄｅＢ２００は、転送されたＬＴＥシステムの秘匿処理された圧縮ヘッダを含むＰＤＣＰ  ＰＤＵのうち、移動局１００に送信されていないＬＴＥシステムの秘匿処理された圧縮ヘッダを含むＰＤＣＰ  ＰＤＵを、そのまま、すなわちＬＴＥシステムの秘匿処理された圧縮ヘッダを含むＰＤＣＰ  ＰＤＵのまま、ＵＴＲＡＮシステムを構成するＲＮＣ４００に転送する。
【００５９】
ＲＮＣ４００では、ＲＬＣ（ＵＴＲＡＮ）において、転送されたＬＴＥシステムの秘匿処理された圧縮ヘッダを含むＰＤＣＰ  ＰＤＵの分割（セグメンテーション）が行われ、各分割されたＬＴＥシステムの秘匿処理された圧縮ヘッダを含むＰＤＣＰ  ＰＤＵに対してＲＬＣヘッダが付加され、ＲＬＣ  ＰＤＵが生成される。さらに、ＲＮＣ（ＵＴＲＡＮ）では、ＲＬＣ  ＰＤＵのペイロード部に対し、ＵＴＲＡＮシステムの秘匿処理が行われ、ＮｏｄｅＢ３００に転送される。ＮｏｄｅＢ３００は、転送されたＵＴＲＡＮシステムの秘匿処理されたＲＬＣ  ＰＤＵを移動局に送信する。
【００６０】
ＮｏｄｅＢ３００から送信されたＵＴＲＡＮシステムの秘匿処理されたＲＬＣ  ＰＤＵは、移動局１００の受信部１０２において受信され、復調・復号部１０４において、復調・復号処理が行われ、再送制御部１０６に入力される。
【００６１】
再送制御部１０６では、秘匿解除部１０８において、ＵＴＲＡＮシステムの秘匿処理されたＲＬＣ  ＰＤＵのＵＴＲＡＮシステムの秘匿解除処理を行い、ＲＬＣ  ＰＤＵを復元する。また、再送制御部１０６は、ＬＴＥシステムの秘匿処理された圧縮ヘッダ付加ＰＤＣＰ  ＰＤＵを構成するＲＬＣ  ＰＤＵの再送制御を行う。ＬＴＥシステムの秘匿処理された圧縮ヘッダ付加ＰＤＣＰ  ＰＤＵを構成するＲＬＣ  ＰＤＵが入力された場合、再送制御部１０６は、ＲＬＣ  ＰＤＵを結合し、ＬＴＥシステムの秘匿処理された圧縮ヘッダを含むＰＤＣＰ  ＰＤＵを生成し、ＰＤＣＰ  ＳＤＵ処理部１１０に入力する。
【００６２】
ＰＤＣＰ  ＳＤＵ処理部１１０では、秘匿解除部１１２においてＬＴＥシステムの秘匿処理された圧縮ヘッダを含むＰＤＣＰ  ＳＤＵに対して、ＬＴＥシステムの秘匿解除処理が行われ、圧縮ヘッダを含むＰＤＣＰ  ＳＤＵを復元し、ヘッダ伸長部１１４に入力する。ヘッダ伸長部１１４では、圧縮ヘッダを含むＰＤＣＰ  ＳＤＵのヘッダ伸長処理が行われＩＰパケットが再生される。
【００６３】
次に、本実施例にかかるハンドオーバ方法について、図８および図９を参照して説明する。
【００６４】
コアネットワーク、例えばＧＰＲＳ  Ｃｏｒｅ７００または上位局、例えばＩｎｔｅｒ  ＡＳ  ａｎｃｈｏｒ６００から、ａＧＷ５００にＩＰパケット９０２が転送される（ステップＳ８０２）。
【００６５】
ａＧＷ５００では、ＰＤＣＰにおいて、ヘッダ部分がヘッダ圧縮処理され、圧縮ヘッダを含むＰＤＣＰ  ＰＤＵ９０４が生成される（ステップ８０４）。
【００６６】
次に、ａＧＷ５００は、ＰＤＣＰにおいて、圧縮ヘッダを含むＰＤＣＰ  ＰＤＵ９０４に対し、第１の秘匿処理としてのＬＴＥシステムにおける秘匿処理（以下、ＬＴＥ秘匿処理と呼ぶ）を行い（ステップＳ８０６）、ｅＮｏｄｅＢ３００に転送する（ステップＳ８０８）。
【００６７】
ｅＮｏｄｅＢ３００は、転送されたＬＴＥ秘匿処理された圧縮ヘッダを含むＰＤＣＰ  ＰＤＵ９０６をバッファリングし（ステップＳ８１０）、バッファリングされたＬＴＥ秘匿処理された圧縮ヘッダを含むＰＤＣＰ  ＰＤＵ９０６を、ＲＬＣでおいて、ＲＬＣ  ＰＤＵに変換し、移動局（ＬＴＥ  ＵＥ）１００に送信する。
【００６８】
移動局１００は、ＲＬＣ  ＰＤＵを受信し、ＬＴＥシステムにおける秘匿解除処理（以下、ＬＴＥ秘匿解除処理と呼ぶ）を行い、ＲＬＣ  ＰＤＵを復元する。また、移動局１００は、複数のＲＬＣ  ＰＤＵを結合し、圧縮ヘッダを含むＰＤＣＰ  ＰＤＵ９０４を復元し、ヘッダ伸長を行い、ＩＰパケット９０２を復元する。
【００６９】
移動局１００がＬＴＥシステムで通信を行っている最中に、ＵＴＲＡＮシステムへ、システム間のハンドオーバを行った場合、ｅＮｏｄｅＢ２００にバッファリングされたＬＴＥ秘匿処理後の圧縮ヘッダを含むＰＤＣＰ  ＰＤＵのうち、移動局１００に送信されていないＬＴＥ秘匿処理後の圧縮ヘッダを含むＰＤＣＰ  ＰＤＵは、ＵＴＲＡＮシステムを構成するＲＮＣ４００に、例えばａＧＷ５００を経由して転送される（ステップＳ８１２）。さらに、ａＧＷ５００から上位局、例えば、Ｉｎｔｅｒ  ＡＳ  ａｎｃｈｏｒを経由して、ＲＮＣ４００に転送するようにしてもよい。
【００７０】
ＲＮＣ４００は、ｅＮｏｄｅＢ２００から転送されたＬＴＥ秘匿処理後の圧縮ヘッダを含むＰＤＣＰ  ＳＤＵ９０６をＵＴＲＡＮシステムにおけるＰＤＣＰ  ＰＤＵとみなし、ＲＬＣへ渡す。ＲＮＣ４００は、ＲＬＣにおいて、ＬＴＥ秘匿処理後の圧縮ヘッダを含むＰＤＣＰ  ＳＤＵ９０６の分割（セグメンテーション）を行い、各分割された圧縮ヘッダを含むＰＤＣＰ  ＰＤＵ９０６に対してＲＬＣヘッダを付加し、ＲＬＣ  ＰＤＵ９０８を生成する（ステップＳ８１４）。さらに、ＲＮＣ４００は、ＲＬＣにおいて、ＲＬＣ  ＰＤＵのペイロード部に対し、第２の秘匿処理としてのＵＴＲＡＮシステムにおける秘匿処理（以下、ＵＴＲＡＮ秘匿処理と呼ぶ）を行い、ＵＴＲＡＮ秘匿処理されたＲＬＣ  ＰＤＵ９１０を生成する（ステップ８１６）。ＲＮＣ４００は、ＵＴＲＡＮ秘匿処理されたＲＬＣ  ＰＤＵ９１０を、ｅＮｏｄｅＢ３００を介して、移動局１００に送信する（ステップＳ８１８、ステップＳ８２０）。
【００７１】
移動局１００は、受信したＵＴＲＡＮ秘匿処理が行われたＲＬＣ  ＰＤＵ９１０に対して、第２の秘匿解除部１０８において、ＵＴＲＡＮシステムにおける秘匿解除処理を行い、ＲＬＣ  ＰＤＵ９０８の復元を行う（ステップＳ８２２）。また、移動局１００は、ＲＬＣ  ＰＤＵ９０８の再送制御を行い、ＵＴＲＡＮのプロトコルスタックにしたがって、ＬＴＥ秘匿処理された圧縮ヘッダ付加ＰＤＣＰ  ＰＤＵ９０６を復元できるまで、ＲＬＣ  ＰＤＵ９０８を組み上げる。
【００７２】
移動局１００は、ＬＴＥ秘匿処理された圧縮ヘッダ付加ＰＤＣＰ  ＰＤＵ９０６を生成するのに必要なＲＬＣ  ＰＤＵ９０８が受信された場合、複数のＲＬＣ  ＰＤＵ９０８を結合（Ｃｏｎｃａｔｅｎａｔｉｏｎ）し、ＬＴＥ秘匿処理された圧縮ヘッダを含むＰＤＣＰ  ＰＤＵ９０６の復元処理を行う（ステップＳ８２４）。
【００７３】
次に、移動局１００は、第１の秘匿解除部１１２において、ＬＴＥ秘匿処理された圧縮ヘッダを含むＰＤＣＰ  ＰＤＵ９０６に対して、ＬＴＥシステムにおける秘匿解除処理を行い、圧縮ヘッダ付加ＰＤＣＰ  ＰＤＵ９０４の復元を行う（ステップＳ８２６）。
【００７４】
次に、移動局１００は、復元した圧縮ヘッダを含むＰＤＣＰ  ＰＤＵ９０４のヘッダ伸張を行い、ＩＰパケット９０２の復元を行う（ステップＳ８２８）。
【００７５】
移動局１００は、ｅＮｏｄｅＢ２００にバッファリングされたＬＴＥ秘匿処理された圧縮ヘッダ付加ＰＤＣＰ  ＰＤＵのうち、ＵＴＲＡＮシステムに転送されるＬＴＥ秘匿処理された圧縮ヘッダ付加ＰＤＣＰ  ＰＤＵを知る必要がある。
【００７６】
例えば、両方のシステム、すなわちＬＴＥシステムシステムとＵＴＲＡＮシステムで共通となるシーケンス番号を用意し、ｅＮｏｄｅＢ２００にバッファリングされたＬＴＥ秘匿処理後の圧縮ヘッダを含むＰＤＣＰ  ＰＤＵのうち、ＲＮＣ４００に転送されたＬＴＥ秘匿処理後の圧縮ヘッダ付加ＰＤＣＰ  ＰＤＵに対応するシーケンス番号を、移動局１００に通知する。具体的には、ＵＴＲＡＮシステムにおいて使用されるシーケンス番号にあわせたシーケンス番号を、ＬＴＥシステムで使用する。
【００７７】
ＵＴＲＡＮシステムにハンドオーバを行った移動局１００は、受信したＵＴＲＡＮ秘匿処理が行われたＲＬＣ  ＰＤＵ９１０に対して、ＵＴＲＡＮシステムにおける秘匿解除処理を行い、ＲＬＣ  ＰＤＵ９０８の復元を行い、また、ＲＬＣ  ＰＤＵ９０８の再送制御を行い、圧縮ヘッダ付加ＰＤＣＰ  ＰＤＵの復元を行う。次に、移動局１００は、通知されたシーケンス番号に基づいて、復元された圧縮ヘッダを含むＰＤＣＰ  ＰＤＵがＬＴＥにおける秘匿処理が行われているか否かを判断する。
【００７８】
例えば、移動局１００は、通知されたシーケンス番号以降のシーケンス番号に対応する圧縮ヘッダ付加ＰＤＣＰ  ＰＤＵである場合、ＬＴＥにおける秘匿処理が行われていると判断し、ＬＴＥにおける解除処理を行う。
【００７９】
また、ＲＮＣ４００は、ａＧＷ５００からの転送が終了した場合、ＵＴＲＡＮシステムの秘匿処理のみが行われるＰＤＣＰ  ＳＤＵに対応するシーケンス番号を移動局１００に通知するようにしてもよい。このようにすることにより、移動局１００は、ＵＴＲＡＮにおける秘匿処理のみが行われているＰＤＣＰ  ＳＤＵを知ることができる。
【００８０】
本発明の実施例によれば、ＬＴＥが適用される移動通信システムからＵＴＲＡＮが適用される移動通信システムへのハンドオーバが行われる場合に、ａＧＷにおけるＬＴＥシステムの秘匿処理に関わる処理負荷の増大、また、ハードウエアの装置規模の増大を避けつつ、未送信のデータを転送することができる。
【産業上の利用可能性】
【００８１】
本発明にかかる移動局装置およびハンドオーバ方法は、無線通信システムに適用できる。
【図面の簡単な説明】
【００８２】
【図１】無線インタフェースのプロトコルアーキテクチャを示す説明図である。
【図２】ａＧＷで秘匿解除を行う場合のデータ転送方法を示すフロー図である。
【図３】パケットデータフローを示す説明図である。
【図４】ａＧＷでバッファリングを行う場合のデータ転送方法を示すフロー図である。
【図５】本発明の一実施例にかかる移動通信システムのネットワークアーキテクチャを示すブロック図である。
【図６】本発明の一実施例にかかる移動局を示す部分ブロック図である。
【図７】本発明の一実施例にかかる移動通信システムのネットワークアーキテクチャにおけるプロトコルスタックを示す説明図である。
【図８】本発明の一実施例にかかる移動通信システムの処理を示すフロー図である。
【図９】本発明の一実施例にかかる移動通信システムにおけるパケットデータフローを示す説明図である。
【符号の説明】
【００８３】
１００  移動局
２００  ｅＮｏｄｅＢ
３００  ＮｏｄｅＢ
４００  ＲＮＣ
５００  ａＧＷ
６００  Ｉｎｔｅｒ  ＡＳ  Ａｎｃｈｏｒ
７００  ＧＰＲＳ  Ｃｏｒｅ
２、９０２  ＩＰパケット
４、９０４  ヘッダ圧縮されたヘッダを含むＰＤＣＰ  ＰＤＵ
６、９０６  ＬＴＥシステムにおける秘匿処理されたＰＤＣＰ  ＰＤＵ
９０８  ＲＬＣ  ＰＤＵ
９１０  ＵＴＲＡＮによる秘匿処理されたＲＬＣ  ＰＤＵ
【図１】
2007336490.tif 000003
【図２】
2007336490.tif 000004
【図３】
2007336490.tif 000005
【図４】
2007336490.tif 000006
【図５】
2007336490.tif 000007
【図６】
2007336490.tif 000008
【図７】
2007336490.tif 000009
【図８】
2007336490.tif 000010
【図９】
2007336490.tif 000011